(57)【要約】【課題】キャプチャの対象を、画面中の任意の範囲から容易に選択する。【解決手段】表示用画面を持つ表示手段と、表示装置の表示画面上に重畳画像を表示させる画像表示制御手段と、画像表示制御手段によって表示画面上に表示される重畳画像の全ての一番上の層に表示される、その任意の一部を画定するキャプチャ枠であって、キャプチャ枠で囲まれるキャプチャ枠の直下に表示される、重畳画像をキャプチャ枠内に取り込むことができるキャプチャ枠を表示させるキャプチャ枠表示制御手段と、キャプチャ枠内が透明又は半透明で、その下の画像をスルー表示する第１の状態と、キャプチャ枠内にその直下の画像を取り込んだ第２の状態との間を切り替える、キャプチャ枠表示状態切換手段と、を備えた、第１の画像表示／処理用端末。【選択図】図５
2008193402.tif 000002
【特許請求の範囲】
【請求項１】
表示用画面を持つ表示手段と、
前記表示装置の前記表示画面上の全面又はその一部に、１つの画像又は複数の重畳画像を表示させる画像表示制御手段と、
前記画像表示制御手段によって前記表示画面上に表示される１つの画像又は複数の重畳画像の全ての一番上の層に表示される、前記表示画面の全体又は前記表示画面内での、移動、拡大、縮小のいずれか少なくとも一つによって前記表示画面上に表示される１つの画像又は複数の重畳画像の任意の一部を画定するキャプチャ枠であって、当該キャプチャ枠で囲まれた領域内に表示される、１つの画像又は複数の重畳画像を取り込むことができるキャプチャ枠を表示させるキャプチャ枠表示制御手段と、
前記キャプチャ枠内に、その下層にある画像を表示する第１の状態と、前記取り込んだ画像を前記キャプチャ枠内に表示する第２の状態との間を切り替える、キャプチャ枠表示状態切換手段と、
を備えた、第１の画像表示／処理用端末。
【請求項２】
前記第２の状態にある前記キャプチャ枠の下層の１つの画像および複数の重畳画像のいずれかがアクティブにされたときに、前記キャプチャ枠を前記第１の状態に遷移させるように前記キャプチャ枠表示状態切換手段を制御する、第１のキャプチャ枠表示状態切換制御手段、
を更に備えた請求項１に記載の第１の画像表示／処理用端末。
【請求項３】
前記第２の状態にある前記キャプチャ枠がドラッグ状態にされたときに、前記キャプチャ枠を前記第１の状態に遷移させるように前記キャプチャ枠表示状態切換手段を制御する、第２のキャプチャ枠表示状態切換制御手段、
を更に備えた請求項１又は２に記載の第１の画像表示／処理用端末。
【請求項４】
前記ドラッグ状態にされていたキャプチャ枠が非ドラッグ状態にされた場合に、前記キャプチャ枠を第２の状態に遷移させるように前記キャプチャ枠表示状態切換手段を制御する、第３のキャプチャ枠表示状態切換制御手段、
を更に備えた請求項３に記載の第１の画像表示／処理用端末。
【請求項５】
前記ドラッグ状態にされていたキャプチャ枠が非ドラッグ状態にされた場合に、前記キャプチャ枠の直下の画像をキャプチャするとともに前記第２の状態に遷移させるように前記キャプチャ枠表示状態切換手段を制御する、第４のキャプチャ枠表示状態切換制御手段、
を更に備えた請求項３に記載の第１の画像表示／処理用端末。
【請求項６】
請求項１から請求項５のいずれかの請求項に記載の第１の画像表示／処理用端末であって、
前記キャプチャ枠内に表示された画像に重ねて第１の端末から入力された所定の情報を表示可能な領域を表示させる入力情報表示手段、
を更に備える、第１の画像表示／処理用端末。
【請求項７】
請求項１から請求項６のいずれかの請求項に記載の第１端末と通信可能な第２端末であって、
当該第２端末は、第１端末のキャプチャ枠内の表示画像を、その表示手段上に反映する、キャプチャ枠表示状態反映手段を有する
第２端末。
【請求項８】
請求項１から請求項６に記載の第１端末、及び、
当該第１端末と通信状態にある請求項７に記載の第２端末
を備える、キャプチャ枠表示／反映システム。
【請求項９】
請求項８に記載のキャプチャ枠表示／反映システムであって、
当該システムに含まれる前記第１端末のキャプチャ枠の第１の状態において、当該キャプチャ枠内に前記第２端末でキャプチャした画像を薄く重ねて表示する、相手端末情報反映手段、
をさらに備える、キャプチャ枠表示／反映システム。
【請求項１０】
コンピュータに少なくとも、第１の画像表示／処理用端末としての、
表示用画面を持つ表示機能と、
前記表示装置の前記表示画面上の全面又はその一部に、１つの画像又は複数の重畳画像を表示させる画像表示制御機能と、
前記画像表示制御手段によって前記表示画面上に表示される１つの画像又は複数の重畳画像の全ての一番上の層に表示される、前記表示画面の全体又は前記表示画面内での移動、拡大、縮小のいずれか少なくとも一つによって前記表示画面上に表示される１つの画像又は複数の重畳画像の任意の一部を画定するキャプチャ枠であって、当該キャプチャ枠で囲まれる当該キャプチャ枠の直下に表示される、１つの画像又は複数の重畳画像を当該キャプチャ枠内に取り込むことができるキャプチャ枠を表示させるキャプチャ枠表示制御機能と、
前記キャプチャ枠内に、その下層にある画像を表示する第１の状態と、前記取り込んだ画像をキャプチャ枠内に表示する第２の状態との間を切り替える、キャプチャ枠表示状態切換機能、
を実現させる画像表示／処理用プログラム。
【請求項１１】
請求項１０に記載のプログラムを記憶した情報記憶媒体。
【発明の詳細な説明】
【技術分野】
【０００１】
本発明は、例えば、画像表示／処理用端末、システム、プログラム、及び、記憶媒体に関する。
【背景技術】
【０００２】
従来、コンピュータ端末のデスクトップ画面全体、又は、所定のウィンドウ全体をキャプチャして他の端末に送るとともに、当該デスクトップ画面上に、透明ホワイトボードを表示し、その上に描かれた書き込み情報を他の端末に送り、当該他の端末では、先に送られたデスクトップ画面に、当該書き込み情報を重ねて表示する画面共有システムが存在した（特許文献１参照）。
【０００３】
この画面共有システムは、デスクトップ画面全体、又は、所定のウィンドウ全体をキャプチャして他の端末に送ることが前提とされている。
【０００４】
更に、特許文献１の技術では、ホワイトボードは、画面のキャプチャとは無関係であり、単に、キャプチャされる画面に重ねられる、手書きのデータ等を共有するためだけに用いられている。
【０００５】
【特許文献１】特開２００６−１４６６２９号公報
【発明の開示】
【発明が解決しようとする課題】
【０００６】
上述のように、特許文献１の発明では、キャプチャの対象を、画面中の任意の範囲から選択するという思想が全く存在しないため、特に重要な画面の範囲のみを保存・表示・伝送することが不可能である。
【０００７】
また、特許文献１のホワイトボードは、画像のキャプチャとは無関係なので、特に重要な画面の範囲のみを保存・表示・伝送するために利用できない。
【課題を解決するための手段】
【０００８】
上述の各課題を解決するために、本願は以下の各発明を提供する。
（発明１）
表示用画面を持つ表示手段と、
前記表示装置の前記表示画面上の、全面又はその一部に、１つの画像又は複数の重畳画像を表示させる画像表示制御手段と、
前記画像表示制御手段によって前記表示画面上に表示される１つの画像又は複数の重畳画像の全ての一番上の層に表示される、前記表示画面の全体、又は、前記表示画面内での、移動、拡大、縮小のいずれか少なくとも一つによって前記表示画面上に表示される１つの画像又は複数の重畳画像の任意の一部を画定するキャプチャ枠であって、当該キャプチャ枠で囲まれた領域内に表示される、１つの画像又は複数の重畳画像を取り込むことができるキャプチャ枠を表示させるキャプチャ枠表示制御手段と、
前記キャプチャ枠内に、その下層にある画像を表示する第１の状態と、前記取り込んだ画像を前記キャプチャ枠内に表示する第２の状態との間を切り替える、キャプチャ枠表示状態切換手段と、
を備えた、第１の画像表示／処理用端末。
【０００９】
このような構成により、コンピュータ画面中の任意の範囲の画面を、容易にキャプチャすることが可能となる。またこれにより、画像キャプチャと新たにキャプチャする対象の画像探索を頻繁に繰り返す用途には好適である。
【００１０】
つまり、キャプチャ枠を第１の状態にした状態でキャプチャする対象の画像を探索し、キャプチャする対象の画像が決定された場合には、当該画像がスルー表示されている第１の状態から、当該画像を取り込んだ第２の状態に切り替えることが可能である。ここでスルー表示されている状態とは、見かけ上、キャプチャ枠内が透明または半透明であり、下層にある画像が視認可能なように枠内に表示されていることをいう。
【００１１】
なお、本発明においては、その作用・効果との関係上、構成要素「キャプチャ枠表示状態切換手段」が、いわゆる均等論における「本質的部分」、或いは、いわゆる間接侵害における「課題の解決に不可欠なもの」に対応すると考えられる。
【００１２】
（発明２）
前記第２の状態にある前記キャプチャ枠の下層の１つの画像および複数の重畳画像のいずれかがアクティブにされたときに、前記キャプチャ枠を前記第１の状態に遷移させるように前記キャプチャ枠表示状態切換手段を制御する、
第１のキャプチャ枠表示状態切換制御手段、
を更に備えた発明１に記載の第１の画像表示／処理用端末。
【００１３】
このような構成によって、例えば、キャプチャ枠の下層の画像を選択するだけで、自動的にキャプチャ枠がスルー表示とされ、新たにキャプチャ対象とされるべき画像の探索が容易になる。
【００１４】
（発明３）
前記第２の状態にある前記キャプチャ枠がドラッグ状態にされたときに、前記キャプチャ枠を前記第１の状態に遷移させるように前記キャプチャ枠表示状態切換手段を制御する、
第２のキャプチャ枠表示状態切換制御手段、
を更に備えた発明１又は２に記載の第１の画像表示／処理用端末。
【００１５】
このような構成にすることによって、例えば、キャプチャ枠をドラッグ状態にするだけで、自動的にキャプチャ枠がスルー表示とされ、新たにキャプチャ対象とされるべき画像の探索が容易になる。
【００１６】
（発明４）
前記ドラッグ状態にされていたキャプチャ枠が非ドラッグ状態にされた場合に、前記キャプチャ枠を第２の状態に遷移させるように前記キャプチャ枠表示状態切換手段を制御する、
第３のキャプチャ枠表示状態切換制御手段、
を更に備えた発明３に記載の第１の画像表示／処理用端末。
【００１７】
このように構成することによって、キャプチャ枠が非ドラッグ状態にされた場合に、直近にキャプチャされていた画像をキャプチャ枠内に再表示させることが可能となる。このような再表示によって、当該直近のキャプチャ画像をそのままキャプチャするか、或いは、非ドラッグ状態にされた時点の直前に囲まれていた画像をキャプチャするか、容易に判断することが可能となる。
【００１８】
（発明５）
前記ドラッグ状態にされていたキャプチャ枠が非ドラッグ状態にされた場合に、前記キャプチャ枠の直下の画像をキャプチャするとともに前記第２の状態に遷移させるように前記キャプチャ枠表示状態切換手段を制御する、
第４のキャプチャ枠表示状態切換制御手段、
を更に備えた発明３に記載の第１の画像表示／処理用端末。
【００１９】
このような構成にすることで、キャプチャ枠のドラッグ状態が解除された時点で、キャプチャ枠で囲まれていた画像がキャプチャされ、簡易な画像のキャプチャが可能となる。
【００２０】
（発明６）
発明１から発明５のいずれかの発明に記載の第１の画像表示／処理用端末であって、
前記キャプチャ枠内に表示された画像に重ねて第１の端末から入力された所定の情報を表示可能な領域を表示させる入力情報表示手段、
を更に備える、第１の画像表示／処理用端末。
【００２１】
このように構成することによって、キャプチャ枠内に薄く表示された、直近にキャプチャした画像あるいはこれからキャプチャしようとする画像とともに、第１の端末から入力された所定の情報を同時に視認可能であり、キャプチャした画像に対する補足情報等も容易に追加することが可能となる。
【００２２】
（発明６−１）
以上のいずれかの発明に記載の第１の画像表示／処理用端末であって、
前記第１の端末のキャプチャ枠の第１の状態において、当該キャプチャ枠内に、直近にキャプチャした画像を薄く表示させる、第２の情報表示手段を更に備える、第１の画像表示／処理用端末。
【００２３】
このように構成することによって、キャプチャ枠に、直近にキャプチャした画像をも薄く表示でき、これからキャプチャしようとする画像との対比等が容易となる。
【００２４】
（発明７）
発明１から発明６のいずれかの発明に記載の第１端末と通信可能な第２端末であって、
当該第２端末は、第１端末のキャプチャ枠内の表示画像を、その表示手段上に反映する、キャプチャ枠表示状態反映手段を有する
第２端末。
【００２５】
このように構成することによって、第２端末では、第１端末のキャプチャ枠内の画像が表示される。従って、第２端末では、この画像を参考に、自己端末でキャプチャすべき画像を検討できる。
【００２６】
（発明８）
発明１から発明６に記載の第１端末、及び、
当該第１端末と通信状態にある発明７に記載の第２端末
を備える、キャプチャ枠表示／反映システム。
【００２７】
（発明９）
発明８に記載のキャプチャ枠表示／反映システムであって、
当該システムに含まれる前記第１端末のキャプチャ枠の第１の状態において、当該キャプチャ枠内に、前記第２端末でキャプチャした画像を薄く重ねて表示する、相手端末情報反映手段、
をさらに備える、キャプチャ枠表示／反映システム。
【００２８】
（発明１０）
コンピュータに少なくとも、第１の画像表示／処理用端末としての、
表示用画面を持つ表示機能と、
前記表示装置の前記表示画面上の、全面又はその一部に、１つの画像又は複数の重畳画像を表示させる画像表示制御機能と、
前記画像表示制御手段によって前記表示画面上に表示される１つの画像又は複数の重畳画像の全ての一番上の層に表示される、前記表示画面の全体、又は、前記表示画面内での移動、拡大、縮小のいずれか少なくとも一つによって前記表示画面上に表示される１つの画像又は複数の重畳画像の任意の一部を画定するキャプチャ枠であって、当該キャプチャ枠で囲まれる当該キャプチャ枠の直下に表示される、１つの画像又は複数の重畳画像を当該キャプチャ枠内に取り込むことができるキャプチャ枠を表示させるキャプチャ枠表示制御機能と、
前記キャプチャ枠内に、その下層にある画像を表示する第１の状態と、前記取り込んだ画像をキャプチャ枠内に表示する第２の状態との間を切り替える、キャプチャ枠表示状態切換機能、
を実現させる画像表示／処理用プログラム。
【００２９】
（発明１１）
発明１０に記載のプログラムを記憶した情報記憶媒体。
【００３０】
また、端末又はシステムのカテゴリーで記載された各請求項中の上記各手段の全体又は一部は、ソフトウェアの実行によりコンピュータによって実現される場合もある一方、ファームウェア、または、ハードウェアによって実現される場合も存在する。
【００３１】
なお、端末或いはシステム発明においては、各構成要素の記載順序が、各発明が実施される場合の経時的順序を規定するものではない。逆に、各発明の目的・効果を達成する範囲内で、各発明を実施する際に各構成要素の実現する機能の作動順序は自由に変更でき、そのような技術も各発明の範囲内に属する。
【００３２】
以下に、本明細書中で用いられる用語の一覧を示す。
表１  本明細書中で用いられる用語の意義
2008193402.tif 000003
2008193402.tif 000004
【発明の効果】
【００３３】
本発明によって、コンピュータ画面中の任意の範囲の画面を、容易にキャプチャすることが可能となる。
【発明を実施するための最良の形態】
【００３４】
以下、本発明の各種の実施態様／実施例を図を参照しつつ説明する。但し、以下の説明は、あくまでも本発明の例示であり、以下の記載によって、本発明の技術的範囲が限定されるものではない。
【００３５】
また、本発明の技術は、如何なる既知の、或いは、今後開発される、画像表示／処理用端末、及びシステムに対しても適することを理解して欲しい。
【００３６】
なお、本明細書中における「実施態様１」とは、ネットワークに接続されている、通信可能な複数のコンピュータ端末上で実現可能な画像表示／処理技術に係り、「実施態様２」とは、ネットワークに接続されていない、スタンドアローンのコンピュータ端末上で実現可能な画像表示／処理技術に係る。
【００３７】
そして、「実施例１」とは、「実施態様１」における、表示画面に表示されている、キャプチャ枠の下層にあるウィンドウをアクティブにした場合に、キャプチャ枠をスルー表示状態に変化させる技術に係り、「実施例２」は、「実施態様１」における、表示画面に表示されている、ウィンドウの上層にあるキャプチャ枠をドラッグ状態にした場合に、キャプチャ枠をスルー表示状態に変化させる技術に係る。
【００３８】
更に、「実施例３」は、「実施態様２」における、表示画面に表示されている、キャプチャ枠の下層にあるウィンドウをアクティブにした場合に、キャプチャ枠をスルー表示状態に変化させる技術に係り、「実施例４」は、「実施態様２」における、表示画面に表示されている、ウィンドウの上層にあるキャプチャ枠をドラッグ状態にした場合に、キャプチャ枠をスルー表示状態に変化させる技術に係る。
【００３９】
＜システム構成＞
【００４０】
実施態様１に係る画像表示／処理端末は、ネットワークに接続されている、通信可能な複数のコンピュータ端末上で実現可能である。
【００４１】
他方、実施態様２に係る画像表示／処理端末は、ネットワークに接続されていない、スタンンドアローンのコンピュータ端末上で実現可能である。
【００４２】
まず、両者のシステム構成例を説明するために、前者の、通信可能な複数のコンピュータ端末上での実施態様（実施態様１）について説明する。
【００４３】
実施態様２のシステム構成については、必要に応じて、実施態様１のシステム構成の一部（ネットワークに接続されていない、スタンンドアローンのコンピュータ端末）を参照することとする。
【００４４】
＜実施態様１＞
図１は、この発明の実施態様２に係る、画像表示／処理技術が適用可能なネットワーク・システムの概略構成を示す図である。なお、図１では、端末１Ａと端末１Ｂとがネットワーク２を介して接続されているが、ＬＡＮケーブルなどの通信ケーブルによりこれら端末１Ａ、１Ｂ間が直接接続されていても良い。また、インターネットと既存の電話回線など、複数種類のネットワークが併用されても良い。これら端末の接続形態としては、図１に示されたようなサーバを介さぬ１対１の接続の他、サーバを介した１対１接続、１対１接続であるが接続のために認証用にのみサーバを介するものや、サーバを介し１台の端末と複数台の端末が接続された、講義形式が実現可能な１対多接続や、サーバを介さないグループ対話などがある。図１の例では、１対１の情報共有態様を例にとっているが、この他にも講義形式の１対多の態様や、各参加者が任意に別の参加者の一人又は複数人に対して情報伝送するような、多対多の態様も勿論、本発明の範囲内である。
【００４５】
また、以下の説明は、通信ケーブルを介して直接接続された１対１接続（peer to peer）の形態を例にとって行うが、サーバを介して行われる１対１、１対多、多対多、の態様も勿論、本発明の範囲内である。なお、通信を１対１接続（peer to peer）の形態で行う場合のメリットは、サーバに負担がかからないこと、及び、中継サーバを介さない直接接続による高速な通信の実現ができることである。また、１対１接続（peer to peer）の形態に適しているアプリケーションとしては、大容量のデータを扱う映像系アプリケーション（ビデオ・チャット等）や、リアルタイムな処理が必要なアプリケーション（ホワイトボード等）が挙げられる。
【００４６】
図１において、伝送手段としてのネットワーク２には、それぞれノード２ａ、２ｂを介して端末１Ａ、１Ｂが接続されており、これら端末１Ａ、１Ｂ間での双方向対話が可能になっている。例えば、端末１Ａは、一般的に、通信制御機能等、主要な情報処理機能を実行するＰＣ本体１００Ａと、表示装置２００Ａを備えている。同様に、端末１Ｂも、ＰＣ本体１００Ｂと、表示装置２００Ｂを備える。
【００４７】
本発明の実施態様１に係る画像表示／処理技術は、上述のような伝送手段（例えば、図１の場合、ネットワーク２）を介して、直接又は間接的に接続されることにより、互いに対話可能な状態に設定された端末１Ａから第２端末１Ｂに対して、該端末１Ａから該端末１Ａの表示画面の一部を選択的に端末１Ｂに送信することを含む。
【００４８】
図２は、本発明の実施態様１に係る画像表示／処理技術を実施可能な端末の構成のブロック図である。この端末１Ａ（１Ｂ）は、モニタ等の表示装置２００Ａ（２００Ｂ）と、映像処理を行うＰＣ本体１００Ａ（１００Ｂ）と、外部記録装置７００Ａ（７００Ｂ）と、マウス等のポインティング・デバイス４００Ａ（４００Ｂ）と、キーボード５００Ａ（５００Ｂ）と、マイク６００Ａ（６００Ｂ）と、スピーカ３００Ａ（３００Ｂ）と、を備える。なお、端末１Ｂについても、同様の構成を有するため、以下、端末１Ａについてのみ説明する。
【００４９】
なお、本発明の実施態様又は実施態様において説明される本発明の具体例は、ＰＣに格納されたソフトウェアに基づいて、ＣＰＵが上記各ハードウェアを制御することによって実現される。
【００５０】
ＰＣ本体１００Ａは、ネットワーク２を介して、相手対話者から伝送されてきた画像データの表示／処理を実施する制御部１２０と、送受信される画像データ等を格納しておくための記憶手段１３０（図中、Ｄ／Ｂ）と、表示装置２００Ａへ制御部１２０の指示に従って所定のパターンを表示させるための、ＶＲＡＭ１４１を有する描画部１４０と、マウス等のポインティング・デバイス４００Ａからの位置情報の取り込みや外部装置７００Ａとのデータ授受を可能にするデータ入出力部１５０（図中、Ｉ／Ｏ）と、相手対話者の音声が出力されるスピーカ３００Ａを制御するための音源コントローラ１６０と、カメラ８００Ａとを備える。
【００５１】
なお、外部記録装置７００Ａは、例えば、磁気テープ、ＣＤ、光ディスク、ハードディスク、ＤＶＤ、フラッシュメモリ等を含み、この発明に係る画像表示／処理技術を実施するコンピュータ・プログラムや相手対話者からの送信データなどが格納される。
【００５２】
本発明の実施態様１に係る画像表示／処理技術は、上述のような構造を有する端末１Ａが設置されたＡ地点と、端末１Ｂが設置されたＢ地点との間で実行される双方向対話に特に有効である。
【実施例１】
【００５３】
図３−Ａないし、図３−Ｃの、遷移画面付きフロー図を参照する。
【００５４】
これらの図中、左の２列は、端末Ａにおける操作及び画面状態を示し、右の２列は、端末Ｂの画面状態を示す。ここで、右の２列の端末Ｂの画面状態は、左２列の端末Ａでの操作及び画面状態によって影響を受ける一方、端末Ｂ（右２列）における操作及び画面状態によって、端末Ａ（左２列）の状態が影響を受けることはない。ただし、これは、本発明の実施例の説明を容易にするための１つの例に過ぎず、以下に説明するような端末Ａから端末Ｂへの対応関係を、端末Ｂから端末Ａの方向にも及ぼし、相互関連させた実施形態も勿論実現可能である。
【００５５】
図３−Ａにおいて、まず、端末Ａ（３Ａ０１）において操作が開始され（ステップＳ３Ａ001）、その結果画面上に画像が表示される（ステップＳ３Ａ003）。
【００５６】
次に、端末Ａ（３Ａ０１）上に、キャプチャ枠が表示される（ステップＳ３Ａ005）。この状態では、例えば、端末Ａ（３Ａ０１）には、例えば画面３Ａ005のような画面が表示される。この画面中、画面３Ａ０００５ａが、キャプチャ枠であり、この場合、キャプチャ枠は、スルー表示状態となっていて、見かけ上、枠内が透明であり、下層のウィンドウ画像（画面３Ａ005ｂ）及び、デスクトップ画面（画面３Ａ005ｃ）の一部がそのまま、当該キャプチャ枠（３Ａ005ａ）内に表示され、観察できる。
【００５７】
この状態において、通信先の端末Ｂ（３Ａ０３）においては、画面上の所定位置に、キャプチャ枠（スルー状態）が表示される（ステップＳ３Ａ005’、及び、画面３Ａ005’）。画面３Ａ005’では、端末Ｂ（３Ａ０３）のデスクトップ画面（画面３Ａ005’ｃ）がそのままスルー表示されている。
【００５８】
ここで、「所定位置」とは、端末Ｂ（３Ａ０３）における操作者が任意に決定可能であり、後述するように、端末Ａ（３Ａ０１）におけるキャプチャ枠（３Ａ0005ａ）の移動、拡大、縮小に影響されないようにすることもできるし、或いは、端末Ａでのキャプチャ枠（３Ａ005ａ）の移動、拡大、縮小に忠実に反映させることも可能である。
【００５９】
次に、端末Ａ（３Ａ０１）において、キャプチャ枠内に表示された所望の画像をキャプチャさせる（ステップＳ３Ａ007）。ここで、キャプチャとは、キャプチャ枠（３Ａ007ａ）で囲まれる、枠内に表示されている、１つ或いは複数のウィンドウ画像データ等（ここではウィンドウの一部）を、一時的または定常的にメモリに格納することである。キャプチャされた画像は当該キャプチャ枠（３Ａ007ａ）内に固定表示され、以後、当該キャプチャ枠の移動、拡大、縮小に関わらず、当該キャプチャ枠（３Ａ007ａ）はスルー表示状態ではなく、当該取り込まれた画像が嵌め込まれた状態となる。
【００６０】
この状態において、端末Ｂ（３Ａ０３）では、画面上の所定位置のキャプチャ枠（３Ａ007’ａ）内に、端末Ａのキャプチャ枠（３Ａ007ａ）で取り込まれた画像が表示される（ステップＳ３Ａ007’、及び、画面３Ａ007’）。
【００６１】
なお、参考画面（画面３Ａ007ｒ）は、ステップＳ３Ａ007における画面３Ａ007で、キャプチャ枠（３Ａ007ａ）を左上方向に移動させたものである。これから分かるように、取り込まれた画像が表示されている状態では、キャプチャ枠（３Ａ007ａ）の移動によっても枠内に表示されている画像は変化しない。  次に、図３−Ｂ及び３−Ａを参照して、ステップＳ３Ｂ009において、端末Ａ（３Ａ01）では、ステップＳ３Ａ007でキャプチャした画像以外の他の画像をキャプチャするか否かの判断が為され、ＹＥＳであれば、再びステップＳ３Ａ007のステップを実行する。
【００６２】
一方、ＮＯ（ステップＳ３Ａ007でキャプチャした画像以外の他の画像をキャプチャしない）であれば、ステップＳ３Ｂ011に進む。
【００６３】
このステップＳ３Ｂ011では、ステップＳ３Ａ007でキャプチャ枠内に画像がキャプチャされた状態で、キャプチャ枠の下層の画像がマウスにより選択されたかが判断される。ＮＯであれば、再びステップＳ３Ｂ009に戻り、他の画像をキャプチャするか否かの判断が為される。
【００６４】
一方、ＹＥＳ（キャプチャ枠の下層の画像がマウスにより選択された）であれば、ステップＳ３Ｂ013で、キャプチャ枠内をスルー表示にする。この場合、画像３Ｂ013に示されるように、見かけ上、透明なキャプチャ枠内（３Ｂ013ａ）を通して、マウスにより選択された下層の画像（３Ｂ013ｂ）が観察できる。即ち、キャプチャ枠内には下層の画像が表示される。
【００６５】
キャプチャ枠（３Ｂ013ａ）の下層の画面が選択された、ということは、操作者が、当該画像を次にキャプチャしようと意図している可能性が高い。従って、（ｉ）ステップＳ３Ａ007でキャプチャされた画像をクリアして、（ii）スルー表示状態にし、（iii）その後、キャプチャ枠（３Ｂ013ａ）の下層の画像を再度キャプチャする、という煩雑な操作を経ることなく、下層の画面が選択されたことをトリガとして、（ｉ）と（ii）の処理を自動的に行うのである。
【００６６】
これにより、ユーザフレンドリで、簡易な画面のキャプチャが可能となる。
【００６７】
一方、このステップＳ３Ｂ013の状態において、端末Ｂ（３Ａ０３）では、画面上の所定の位置のキャプチャ枠内に、端末Ａ（３Ａ０１）で直前にキャプチャされた画像が表示され続け、あるいは繰り返し再表示される（ステップＳ３Ｂ013’、及び、画面３Ｂ013’）。
【００６８】
端末Ｂ（３Ａ０３）において、キャプチャ枠（３Ｂ013’ａ）内に、端末Ａ（３Ａ０１）のキャプチャ枠（３Ｂ013ａ）の画像を反映しない理由は、端末Ａ（３Ａ０１）において次にキャプチャされる画像が確定するまでの間に、端末Ａ（３Ａ０１）で試行錯誤的にキャプチャ枠（３Ａ３Ｂ013ａ）内に表示される画像を、端末Ｂ（３Ａ０３）のキャプチャ枠（３Ｂ013’ａ）内に忠実に表示すると、端末Ｂ（３Ａ０３）の操作者にとって「迷惑」となるからである。
【００６９】
また、端末Ｂ（３Ａ０３）において、キャプチャ枠（３Ｂ013’ａ）をスルー表示状態にしない理由は、端末Ａ（３Ａ０１）において次の画像がキャプチャされるまでは、端末Ｂ（３Ａ０３）には直前にキャプチャされた画像を表示させて、端末Ｂ（３Ａ０３）での検討の用に供する方が良いからである。
【００７０】
むしろ、端末Ａ（３Ａ０１）において、次にキャプチャされる画像が確定されてから、当該画像を端末Ｂ（３Ａ０３）のキャプチャ枠（３Ｂ013’ａ）に表示すれば十分である。もちろん端末Ａ（３Ａ０１）のキャプチャ枠（３Ａ３Ｂ013ａ）内に表示される画像を、そのまま端末Ｂ（３Ａ０３）のキャプチャ枠（３Ｂ013’ａ）内に忠実に表示することとしても良い。用途に応じて何れかの状態となるよう予め、或いは適宜選択すればよい。
【００７１】
図３−Ｃを参照して、次に、端末Ａ（３Ａ０１）では、スルー表示状態にされたキャプチャ枠（３Ｃ015ａ）で囲まれる下層の画像を操作する（ステップＳ３Ｃ015、及び、画面３Ｃ015）。「操作」とは、当該画像の移動・拡大・縮小や、他の画像の表示等が含まれる。要するに、次にキャプチャしようとする画像を探索し、更に、その画像中で、特にキャプチャしたい部分がキャプチャ枠（３Ｃ015ａ）で囲まれるようにするのである。
【００７２】
このとき、端末Ｂ（３Ａ０３）上のキャプチャ枠及びその中の表示画像は、直近に端末Ａ（３Ａ01）でキャプチャされた画像（３Ａ07ａ）から変化は無い。その理由は上述したとおりである。
【００７３】
次に、ステップＳ３Ｃ017において、端末Ａ（３Ａ０１）で、キャプチャ枠（３Ｃ015ａ）が選択されたかが判断される。選択されていなければ（ＮＯ）、ステップＳ３Ｃ015に戻って、下層の画面の操作が行われる。
【００７４】
キャプチャ枠が選択されていれば（ＹＥＳ）、以前にキャプチャされた画像（３Ａ007ａ）とは異なる、当該キャプチャ枠に取り込まれている、「他の画像」（画面３Ｃ021ｂのうち、３Ｃ021ａで囲まれる部分）を、キャプチャ枠（３Ｃ021ａ）内に取り込むか否かが判断される（ステップＳ３Ｃ019）。
【００７５】
ステップＳ３Ｃ019において、ＹＥＳ（他の画像をキャプチャする）であれば、ステップＳ３Ｃ021に進み、キャプチャ枠（３Ｃ021ａ）内に、当該キャプチャ枠で囲まれる、下層の画像（画面３Ｃ021ｂの一部）がキャプチャされる。
【００７６】
一方、ステップＳ019においてＮＯ（他の画像をキャプチャしない）であれば、他の画像をキャプチャするという判断が為されるまで、当該ステップＳ0169を反復する。
【００７７】
なお、参考画面（画面３Ｃ021ｒ）は、画面３Ｃ021で、画像がキャプチャされたキャプチャ枠（３Ｃ021ａ）を右下方向に移動させたものである。これから分かるように、取り込まれた画像が表示されている状態では、キャプチャ枠（３Ｃ021ａ）の移動によっても枠内に表示される画像は変化しない。
【００７８】
このステップＳ３Ｃ021の状態において、端末Ｂ（３Ａ０３）では、端末Ａ（３Ａ０１）でキャプチャされた画像が、端末Ｂのキャプチャ枠（３Ｃ021’ａ）内に表示される。これによって、端末Ｂ（３Ａ０３）では、以前とは異なった画像がキャプチャされたことが確認できる。
【００７９】
以上の工程の終了によって、本実施例１の例示的ステップは終了する（ステップＳ３Ｃ023）。
【００８０】
なお、これらのフロー図は、本発明の実施例１の実施態様で採用され得る、１つの例示的流れを示したものであり、実際には、この流れとは異なった処理の流れが採用され得る。本実施例の基本的な特徴は、キャプチャ枠の下層の画像がマウスにより選択された場合（ステップＳ３Ｂ009で”Ｙ”の場合）、キャプチャ枠をスルー表示にする（ステップＳ３Ｂ010）点にあるからである。
【００８１】
また、本実施例の他の基本的な特徴は、端末Ｂ（３Ａ０３）では、端末Ａ（３Ａ０１）で直近にキャプチャされた画像（例えば３Ａ007ａ）を表示し続けるよう反映させる点にある。そのようにすることが、不必要な情報が端末Ｂへ送られることを防止できるからである。なお、端末Ａでキャプチャ枠を、移動、拡大、又は、縮小しても、端末Ｂでは、所定の位置及び大きさのまま、キャプチャ枠を維持することも好ましい。そのようにすることが、端末Ｂでの画像の検討に便利だからである。
【００８２】
本実施例は、主に、キャプチャ枠で囲まれる、これからキャプチャしたい画像を変更したり、その位置を移動させたりする場合に有用である。換言すれば、キャプチャしたい画像自体が決まっていない場合に、スルー表示されるキャプチャ枠を通して観察できる、下層の画像を自由に変更する場合に有用である。
【００８３】
なお、キャプチャ枠内に所定の画像がキャプチャされていない状態（例えば３Ｂ013ａ）で、スルー表示状態の当該キャプチャ枠に、当該キャプチャ枠に直前にキャプチャされていた画像を、下層の画像も認識可能な程度に薄く表示したり（不図示）、端末Ｂでキャプチャした画像を下層の画像も認識可能な程度に薄く表示したり（不図示）、することも便宜である。このような構成にすることによって、これからキャプチャしようとする画像と、以前にキャプチャした画像や、通信相手がキャプチャした画像を容易に対比できる。
【００８４】
更に、キャプチャ枠内に所定の画像がキャプチャされた状態（例えば、３Ａ007ａ）で、当該キャプチャ枠内に、メモ等を書き込めるように構成（図５参照）してもよい。このように構成することによって、下層の画像の取り込み機能に加えて、所定の情報を書き込み可能とする機能を与えることができる。
【実施例２】
【００８５】
図４−Ａないし、図４−Ｃの、遷移画面付きフロー図を参照する。これらの図中、左の２列は、端末Ａにおける操作及び画面状態を示し、右の２列は、端末Ｂの画面状態を示す。ここで、右の２列の端末Ｂの画面状態は、左２列の端末Ａでの操作及び画面状態によって影響を受ける一方、端末Ｂ（右２列）における操作及び画面状態によって、端末Ａ（左２列）の状態が影響を受けることはない。ただし、これは、本発明の実施例の説明を容易にするための１つの例に過ぎず、以下に説明するような端末Ａから端末Ｂへの対応関係を、端末Ｂから端末Ａの方向にも及ぼし、相互関連させた実施形態も勿論実現可能である。
【００８６】
図４−Ａにおいて、まず、端末Ａ（４Ａ０１）において操作が開始され（ステップＳ４Ａ001）、その結果画面上に画像が表示される（Ｓ４Ａ003）（不図示）。
【００８７】
次に、端末Ａ（４Ａ０１）上に、キャプチャ枠が表示される（ステップＳ４Ａ005）。この状態では、例えば、端末Ａ（４Ａ０１）には、例えば画面４Ａ005のような画面が表示される。この画面中、４Ａ０００５ａが、キャプチャ枠であり、この場合、キャプチャ枠は、スルー表示状態となっていて、下層のウィンドウ画像（画面４Ａ005ｂ）及び、デスクトップ画面（画面４Ａ005ｃ）の一部がそのまま、見かけ上透明な当該キャプチャ枠（４Ａ005ａ）内に表示され観察できる。
【００８８】
この状態において、通信先の端末Ｂ（４Ａ０３）においては、画面上の所定位置に、キャプチャ枠（スルー表示状態）が表示される（ステップＳ４Ａ005’、及び、画面４Ａ005’）。画面４Ａ005’では、端末Ｂ（４Ａ０３）のデスクトップ画面（画面４Ａ005’ｃ）がそのままスルー表示されている。
【００８９】
ここで、「所定位置」とは、端末Ｂ（４Ａ０３）における操作者が任意に決定可能であり、後述するように、端末Ａ（４Ａ０１）におけるキャプチャ枠（４Ａ0005ａ）の移動、拡大、縮小に影響されないようにすることもできるし、或いは、端末Ａでのキャプチャ枠（４Ａ005ａ）の移動、拡大、縮小に忠実に反映させることも可能である。
【００９０】
次に、端末Ａ（４Ａ０１）において、キャプチャ枠内に表示された所望の画像をキャプチャさせる（ステップＳ４Ａ007）。なお、キャプチャの意義は、上述のとおりである。  この状態において、端末Ｂ（４Ａ０３）では、画面上の所定位置のキャプチャ枠（４Ａ007’ａ）内に、端末Ａのキャプチャ枠（４Ａ007ａ）で取り込まれた画像が表示される（ステップＳ４Ａ007’、及び、画面４Ａ007’）。
【００９１】
次に、図４−Ｂを参照して、端末Ａ（４Ａ01）において、ステップＳ４Ａ007でキャプチャされた画像（４Ａ007ａ）とは異なる他の画像をキャプチャするかが判断される（ステップＳ４Ｂ009）。
【００９２】
ＹＥＳ（他の画像をキャプチャする）であれば、再びステップＳ４Ａ007に戻り、キャプチャ枠内に画像がキャプチャされる。
【００９３】
ＮＯ（他の画像はキャプチャしない）であれば、ステップＳ４Ｂ011に進む。
【００９４】
ステップＳ４Ｂ011では、キャプチャ枠（４Ａ007ａ）のドラッグが開始されたか否かが判断される。
【００９５】
ＹＥＳ（キャプチャ枠（４Ａ007ａ）のドラッグが開始された）であれば、ステップＳ４Ｂ013に進み、キャプチャ枠がスルー表示（透明）にされ、その下層の画像（ここでは、ウィンドウ画面４Ｂ013ｂ）が、表示されるようにする（画像４Ｂ013ａ）。キャプチャ枠（４Ｂ011ａ）がドラッグされた、ということは、操作者が、それまでキャプチャしていた下層の画像の別の部分を次にキャプチャしようと意図している可能性が高い。従って、（ｉ）ステップＳ４Ａ007でキャプチャされた画像をクリアして、（ii）スルー表示状態にし、（iii）その後、キャプチャ枠（４Ｂ013ａ）を移動し、（iv）移動後のキャプチャ枠（４Ｂ013ａ）の下層の画像を再度キャプチャする、という煩雑な操作を経ることなく、キャプチャ枠（４Ｂ013ａ）がドラッグされたことをトリガとして、（ｉ）、（ii）及び（iii）の処理を自動的に行うのである。
【００９６】
これにより、ユーザフレンドリで、簡易な画面のキャプチャが可能となる。
【００９７】
一方、このステップＳ４Ｂ013の状態において、端末Ｂ（４Ａ０３）では、画面上の所定の位置のキャプチャ枠内に、端末Ａ（４Ａ０１）で直前にキャプチャされた画像（４Ａ007ａ）が表示され続け、あるいは繰り返し再表示される（ステップＳ４Ｂ013’、及び、画面４Ｂ013’）。
【００９８】
端末Ｂ（４Ａ０３）において、キャプチャ枠（４Ｂ013’ａ）内に、端末Ａ（４Ａ０１）のキャプチャ枠（４Ｂ013ａ）の画像を反映しない理由は、端末Ａ（４Ａ０１）において次にキャプチャされる画像が確定するまでの間に、端末Ａ（４Ａ０１）で試行錯誤的にキャプチャ枠（４Ｂ013ａ）内に表示される画像を、端末Ｂ（４Ａ０３）のキャプチャ枠（４Ｂ013’ａ）内に忠実に表示すると、端末Ｂ（４Ａ０３）の操作者にとって「迷惑」となるからである。
【００９９】
また、端末Ｂ（４Ａ０３）において、キャプチャ枠（４Ｂ013’ａ）をスルー表示状態にしない理由は、端末Ａ（４Ａ０１）において次の画像がキャプチャされるまでは、直前にキャプチャされた画像を表示させて、端末Ｂ（４Ａ０３）での検討の用に供する方が良いからである。
【０１００】
むしろ、端末Ａ（４Ａ０１）において、次にキャプチャされる画像が確定されてから、当該画像を端末Ｂ（４Ａ０３）のキャプチャ枠（４Ｂ013’ａ）に表示すれば十分である。もちろん端末Ａ（４Ａ０１）のキャプチャ枠（３Ａ３Ｂ013ａ）内に表示される画像を、そのまま端末Ｂ（４Ａ０３）のキャプチャ枠（４Ｂ013’ａ）内に忠実に表示することとしても良い。用途に応じて何れかの状態となるよう適宜選択すればよい。
【０１０１】
一方、ステップＳ４Ｂ001において、ＮＯ（キャプチャ枠（４Ａ007ａ）のドラッグが開始されていない）であれば、再びステップＳ４Ｂ009に戻り、他の画像をキャプチャするか否かが判断される。
【０１０２】
ステップＳ４Ｂ013で、スルー表示されたキャプチャ枠は、引き続き、ステップＳ４Ｂ015において、ドラッグが継続される。このドラッグは、主に、枠内が見かけ上透明なキャプチャ枠（４Ｂ013ａ）を移動させることによって、次にキャプチャしようとする画像を囲むことを目的として行われる。
【０１０３】
図４−Ｃを参照する。
次に、ステップＳ４Ｃ017において、ドラッグされていたキャプチャ枠（４Ｂ013ａ）によってキャプチャすべき画像の位置が確定されたか否かが判断される。
【０１０４】
ステップＳ４Ｃ017において、ＮＯ（キャプチャすべき画像の位置が確定されていない）であれば、再びステップＳ４Ｂ015に戻り、キャプチャ枠（４Ｂ013ａ）のドラッグが継続される。
【０１０５】
ステップＳ４Ｃ017において、ＹＥＳ（キャプチャすべき画像の位置が確定されている）であれば、ステップＳ４Ｃ019において、キャプチャ枠のドラッグをリリース（開放）して、（ａ）直近のキャプチャ画像を再表示（画面４Ｃ019ａ）する。
【０１０６】
なお、このようにスルー表示状態にされたキャプチャ枠（４Ｂ013ａ）のドラッグをリリースする（マウスを離す）（ステップＳ４Ｃ019、及び、画像４Ｃ019）ことをトリガに、「ドラッグする前にキャプチャされていた画像（４Ａ007ａ内の画像）を再表示させる」以外に、
【０１０７】
（ｂ）リリースした際の、キャプチャ枠の直下の画像を、即、キャプチャする、
又は、
（ｃ）スルー表示を維持する、
という処理をとるように構成することも可能である。
【０１０８】
これらのモードは、予め操作者が選択、設定でき、それに従い、該当する処理が実行される。
【０１０９】
上記、（ｂ）を採用する場合の理由を説明する。（ｂ）では、リリースをトリガとして、スルー表示状態であったキャプチャ枠（４Ｂ013ａ）の下層の画面が取り込まれ（キャプチャされ）、枠内に表示された状態となる。キャプチャ枠（４Ｂ013ａ）のドラッグをリリースしたということは、端末Ａの操作者が、当該リリースした状態でのキャプチャ枠で囲まれる下層の画像をキャプチャしたいという意図を持っていることが推認できることが考えられる。
【０１１０】
この場合、（iv）まず、キャプチャ枠の移動のみを行ってドラッグをリリースした後もスルー表示状態を維持し、（ｖ）次に、キャプチャ枠に表示される画像をキャプチャする、という煩雑な処理を行わずに、ドラッフのリリースというワン・アクションをトリガとして、（iv）及び（ｖ）の操作を一括して自動的に行う。そのような操作が、端末Ａの繰作者の意図に合致するからである。
【０１１１】
なお、以上の（ａ）〜（ｃ）のいずれの場合でも、端末Ｂ（４Ａ03）では、ステップＳ４Ｂ015’と同様に、端末Ａ（４Ａ01）において、直近にキャプチャされた画像（４Ａ007ａ）が引き続き表示されている。
その理由は上述したとおりである。
【０１１２】
引き続き図４−Ｃを参照する。
次に、ステップＳ４Ｃ021において、端末Ａ（４Ａ０１）で、キャプチャ枠（４Ｃ021ａ）内に表示された画像をキャプチャする。この場合、端末Ｂ（４Ａ０３）では、キャプチャ枠（４Ｃ021’ａ）内に、端末Ａ（４Ａ０１）で新たにキャプチャされた画像が表示される（ステップＳ４Ｃ021）。
【０１１３】
これによって、端末Ｂ（４Ａ０３）では、端末Ａで、以前とは異なった画像がキャプチャされたことが確認できる。
【０１１４】
以上の工程の終了によって、本実施例２の例示的ステップは終了する（ステップＳ４Ｃ023）。
【０１１５】
なお、これらのフロー図は、本発明の実施例２の実施態様で採用され得る、１つの例示的流れを示したものであり、実際には、この流れとは異なった処理の流れが採用され得る。本実施例の基本的な特徴は、キャプチャ枠がドラッグ開始された場合（ステップＳ４Ｂ011で”Ｙ”の場合）、キャプチャ枠をスルー表示にする（ステップＳ４Ｂ013）点にあるからである。
【０１１６】
また、本実施例の他の基本的な特徴は、端末Ｂ（４Ａ０３）では、端末Ａ（４Ａ０１）で直近にキャプチャされた画像を表示し続けるよう反映させる点にある。そのようにすることが、不必要な情報が端末Ｂへ送られることを防止できるからである。なお端末Ａでキャプチャ枠を、移動、拡大、又は、縮小しても、端末Ｂでは、所定の位置及び大きさのまま、キャプチャ枠を維持することも好ましい。そのようにすることが、端末Ｂでの画像の検討に便利だからである。
【０１１７】
本実施例は、主に、キャプチャ枠の下層の画像は操作せず、キャプチャ枠の位置を変更する場合に有用である。換言すれば、キャプチャしたい画像は決定されているが、その中のどの部分をキャプチャするか判断する際に有用である。
【０１１８】
なお、端末Ａ（４Ａ01）のスルー表示状態（例えば４Ｂ013ａ）の当該キャプチャ枠内に、直前にキャプチャされていた画像を、下層の画像も認識可能な程度に薄く表示したり（不図示）、端末Ｂでキャプチャした画像を下層の画像も認識可能な程度に薄く表示したり（不図示）、することも便宜である。このような構成にすることによって、これからキャプチャしようとする画像と、以前にキャプチャした画像や、通信相手がキャプチャした画像を容易に対比できる。
【０１１９】
更に、キャプチャ枠内に既にキャプチャされた画像が表示された状態（例えば、４Ａ007ａ）で、当該キャプチャ枠内に、メモ等を書き込めるように構成（図５参照）してもよい。このように構成することによって、下層の画像の取り込み機能に加えて、所定の情報を書き込み可能とする機能を与えることができる。
【０１２０】
＜実施態様２＞
本実施態様で採用されるシステムは、図１において、例えば、ネットワーク２や端末（１Ｂ）を有さない、端末１Ａのみの、スタンドアローンのシステムである。
また、その具体的構成は、ネットワークへの接続が不要（ネットワーク（２）及びＩ／Ｏ（110）が不要）である点を除いて、例えば、図２に示されるようなものであり得る。
【実施例３】
【０１２１】
本実施例における、スタンドアローンの端末１Ａのみでの、画面操作及び表示の態様は、実施例１（図３−Ａないし３−Ｃ）によって説明されたものと殆ど同一である。
【０１２２】
異なる点は、本実施例においては、図３−Ａないし３−Ｃにおける端末Ａ（３Ａ０１）のみを対象とし、端末Ｂ（３Ａ０３）を考慮しない点である。
【０１２３】
本実施例では、端末Ａでキャプチャされた画像を、他の端末に反映させず、専ら、自己の端末内で所望の画像をキャプチャして、記憶媒体に格納し、引き続き更に、他の画像をキャプチャして記憶媒体に記憶させる、といった操作が予定されている。また、キャプチャした画像上に、書き込みを行ったり、所定の画像処理を行った後に、記憶媒体に記憶しても良い。
【０１２４】
また、このようにして格納された複数の画像を、後に、その格納順序通りに、他の端末に送ることも可能であり、そのようにすることによって、実施例１で行われるような、端末Ａでの画像のキャプチャ過程の、端末Ｂへの反映を、擬似的に実現することが可能である。
【実施例４】
【０１２５】
本実施例における、スタンドアローンの端末１Ａのみでの、画面操作及び表示の態様は、実施例２（図４−Ａないし４−Ｃ）によって説明されたものと殆ど同一である。
【０１２６】
異なる点は、本実施例においては、図４−Ａないし４−Ｃにおける端末Ａ（４Ａ０１）のみを対象とし、端末Ｂ（４Ａ０３）を考慮しない点である。
【０１２７】
本実施例では、端末Ａでキャプチャされた画像を、他の端末に反映させず、専ら、自己の端末内で所望の画像をキャプチャして、記憶媒体に格納し、引き続き更に、他の画像をキャプチャして記憶媒体に記憶させる、といった操作が予定されている。また、キャプチャした画像上に、書き込みを行ったり、所定の画像処理を行った後に、記憶媒体に記憶しても良い。
【０１２８】
また、このようにして格納された複数の画像を、後に、その格納順序通りに、他の端末に送ることも可能であり、そのようにすることによって、実施例２で行われるような、端末Ａでの画像のキャプチャ過程の、端末Ｂへの反映を、擬似的に実現することが可能である。
【０１２９】
なお、上記各種の表示制御については、制御プログラムが単独で行っても、オペレーティング・システム（ＯＳ）と分担して実現するようにしても良い。
【０１３０】
本実施例においては、図３−Ａないし４−Ｃに示す機能を実現するために、ＣＰＵを用い、ソフトウェアによってこれを実現している。
しかし、その一部若しくは全てを、ロジック回路等のハードウェアによって実現しても良い。
【０１３１】
即ち、上述の本発明の実施例は、例として説明したものであって、本発明はこれに限定されるものではない。
【０１３２】
特許請求の範囲に記載される本発明の思想を逸脱することなく、種々の代替、変形、及び変更が可能である。
【産業上の利用可能性】
【０１３３】
本発明の実施例は、例えば、ネットワークを介して他のコンピュータ端末２と通信状態にあるコンピュータ端末１において、コンピュータ端末１と２の間で、種々の画像情報（文字情報、描画情報、を含む）を共有する、ＴＶ会議等に利用することが可能であるが、これに限定されない。
【図面の簡単な説明】
【０１３４】
【図１】ネットワークに接続されている、通信可能な複数のコンピュータ端末で構成される、本発明の実施態様１に係る画像表示／処理端末の概略図。
【図２】本発明の実施態様１に係る画像表示／処理技術を実施可能な端末の構成のブロック図。
【図３Ａ】本発明の実施例１における処理の１つの例示的流れを示す、画面図を伴うフローチャート。
【図３Ｂ】本発明の実施例１における処理の１つの例示的流れを示す、画面図を伴うフローチャート。
【図３Ｃ】本発明の実施例１における処理の１つの例示的流れを示す、画面図を伴うフローチャート。
【図４Ａ】本発明の実施例２における処理の１つの例示的流れを示す、画面図を伴うフローチャート。
【図４Ｂ】本発明の実施例２における処理の１つの例示的流れを示す、画面図を伴うフローチャート。
【図４Ｃ】本発明の実施例２における処理の１つの例示的流れを示す、画面図を伴うフローチャート。
【図５】本発明の実施例１及び２において、キャプチャ枠に所定の情報書き込み機能を持たせた場合の画面図。
【符号の説明】
【０１３５】
１Ａ、１Ｂ  端末
２ａ、２ｂ  ノード
１００Ａ  ＰＣ本体
１００Ｂ  ＰＣ本体
２００Ａ  表示装置
２００Ｂ  表示装置
３００Ａ  スピーカ
３００Ｂ  スピーカ
４００Ａ  ポインティング・デバイス
４００Ｂ  ポインティング・デバイス
５００Ａ  キーボード
５００Ｂ  キーボード
３Ａ００５ａ、３Ａ００７ａ、３Ａ００７ａｒ、３Ｂ０１３ａ、３Ｃ０１５ａ、３Ｃ０２１ａ、３Ｃ０２１ａｒ  端末Ａ（３Ａ０１）におけるキャプチャ枠
４Ａ００５ａ、４Ａ００７ａ、４Ａ００７ａｒ、４Ｂ０１３ａ、４Ｃ０１９ａ、４Ｃ０２１ａ、４Ｃ０２１ａｒ  端末Ａ（４Ａ０１）におけるキャプチャ枠
３Ａ００７’ａ、３Ｂ０１３’ａ、３Ｃ０１５’ａ  端末Ｂ（３Ａ０３）におけるキャプチャ枠
４Ａ００７’ａ、４Ｂ０１３’ａ、４Ｂ０１５’ａ、４Ｃ０１９’ａ、４Ｃ０２１’ａ  端末Ｂ（４Ａ０３）におけるキャプチャ枠
【図１】
2008193402.tif 000005
【図２】
2008193402.tif 000006
【図３Ａ】
2008193402.tif 000007
【図３Ｂ】
2008193402.tif 000008
【図３Ｃ】
2008193402.tif 000009
【図４Ａ】
2008193402.tif 000010
【図４Ｂ】
2008193402.tif 000011
【図４Ｃ】
2008193402.tif 000012
【図５】
2008193402.tif 000013